(57)【特許請求の範囲】
【請求項１】
一対の引掛け金具を設けた引掛けシーリングを、天井に設けた既設の雌型シーリングに引掛けて固定する天井用ＬＥＤ照明器具において、上記引掛けシーリングはシーリングホルダーの裏面に固定されるとともに、このシーリングホルダーとＬＥＤを光源とするグローブとを分離する一方、上記シーリングホルダーの筒方向中腹部分から、このシーリングホルダーを中心に放射状に設けた複数のアームの先端に上記グローブを設けて、これらシーリングホルダーとグローブとを一体化し、さらに、上記シーリングホルダーに、上記光源の電源ユニットを組み込むとともに、上記アームに設けた電線を介して、上記電源ユニットと上記光源とをあらかじめ電気的に接続した天井用ＬＥＤ照明器具。
【発明の詳細な説明】
【技術分野】
【０００１】
この発明は、ＬＥＤを光源にする天井用ＬＥＤ照明器具に関する。
【背景技術】
【０００２】
最近は、ＬＥＤの輝度がどんどん大きくなり、それにともなってＬＥＤ照明器具の照射エリアも大きくなっている。このように照射エリアが大きくなるにつれて、ＬＥＤ照明器具が天井用として使われるとともに、そのグローブも大型化している。
また、照明器具を天井に取付ける形態にはいろいろあるが、照明器具に設けた引掛けシーリングの一対の引掛け金具を、天井に設けた既設の雌型シーリングに引掛けるものが知られている（特許文献１参照）。
【０００３】
この従来の照明器具は、それを手で持ちながら、脚立や椅子などに載って取付けるが、そのときに頭を天井に押し付けたとしても、既設の雌型シーリングの位置まで目線を持っていくことができない。なぜなら、既設の雌型シーリングとシーリングキャップとを連結したとしても、天井と上記グローブとの間にできるすき間が狭いからである。
そのために、引掛け金具を雌型シーリングに挿入しようとしたときには、雌型シーリングの挿入穴と引掛けシーリングの引掛け金具とが、グローブによって完全に隠されてしまい、取付け作業者からはそれらを見ることができなくなる。
【０００４】
そこで、作業者は、上記雌型シーリングの挿入穴と、引掛けシーリングの引掛け金具との位置にあらかじめ見当をつけ、カンを頼りに取付け作業をせざるを得ない。しかし、上記したようにグローブが大型化するにつれ、カンも働かせにくくなる上に、重量もかさんで持ちにくくなっているので、ますます、取付け作業が難しくなっていた。特に、非力な女性などは、取付け作業ができないというのが現状であった。
【０００５】
上記のような問題を解決するものとして、図４〜７に示した照明器具がすでに開発されている。
この図４〜７に示した照明器具は、アタッチメント１を備え、このアタッチメント１には、図示していない一対の引掛け金具を設けるとともに、周囲には、弾力的に押し込むことができる突部１ａを設けている。
上記のようにしたアタッチメント１は、天井に設けた既設の雌型シーリング２に取付けるものである。すなわち、上記雌型シーリング２には一対の挿入孔２ａが設けてあり、この挿入孔２ａに上記引掛け金具を挿入して当該アタッチメント１を雌型シーリング２に先に取付けておく。
【０００６】
上記のようにアタッチメント１を雌型シーリング２にあらかじめ固定したら、図６に示すように、拡散カバー３ａを外した器具本体３を上記アタッチメント１に取付ける。すなわち、この拡散カバー３ａを外した器具本体３の中央には、上記アタッチメント１にぴったりはまる取付け孔３ｂが形成されていて、この取付け孔３ｂに上記アタッチメント１を押し込む。
【０００７】
上記のように取付け孔３ｂにアタッチメント１を押し込むと、上記突部１ａが強制的に押し込まれるとともに、上記取付け孔３ｂがこの突部１ａを通過した時点で突部１ａが再び突出して、器具本体３を止めることになる。そして、この器具本体３に拡散カバー３ａが取付けられる。
なお、上記器具本体３にはＬＥＤからなる光源を取付けているが、図６，７には光源を図示していない。
また、アタッチメント１には、図示していない接続コードとこの接続コードに取付けた接続具を設け、この接続具を器具本体３に設けた電源ユニットに接続するようにしている。
【０００８】
上記のようにして当該照明器具が天井に取付けられるが、実際には、先ず、アタッチメント１を片手に持って脚立や椅子などに載って、このアタッチメント１を雌型シーリング２に取付ける。アタッチメント１を取付けたら脚立や椅子などから一度降りて、拡散カバーを外した器具本体３を手にし、再び脚立や椅子などに載り、アタッチメント１に拡散カバー３ａを外した器具本体３を図６に示すようにして取付ける。このときに、上記した図示していない接続具を電源ユニットに接続する。
このようにしてから、もう一度、脚立や椅子から降りて拡散カバー３ａを手にし、再度、脚立や椅子に載って拡散カバー３ａを取付ける。
【先行技術文献】
【特許文献】
【０００９】
【特許文献１】特開２００３−８６００６号公報  図６
【発明の概要】
【発明が解決しようとする課題】
【００１０】
上記図５〜７に示したアタッチメント１、器具本体３及びその器具本体３の拡散カバー３ａという３つの部品を必要とするので、部品点数が多くなる。しかも、これら部品の取付け作業は、何回も分けて行わなければならないので、取付け作業時には脚立や椅子を何回も載り降りしなければならない。
しかし、雌型シーリング２に取付ける天井用ＬＥＤ照明器具は、一般消費者が、白熱灯や蛍光灯の電球と同じ感覚で購入し、それを自ら取付けるのがほとんどである。そのために、これら天井用ＬＥＤ照明器具の取付けは、専門業者に依頼することはほとんどない。
【００１１】
そのために、脚立や椅子の載り降りの回数が多くなれば、それだけ作業性が悪くなるだけでなく、特に、高齢者が取付け作業を行うときには、その作業に危険がともなうという問題があった。
しかも、アタッチメント１と電源ユニットとを、上記図示していない接続具で接続しなければならないが、特に、電気器具になれていない高齢者の場合には、触りなれていない器具を電源に接続する作業に恐怖感を覚える人が多く、拒否反応を示すという問題もあった。
【００１２】
このような事情の下で、一般消費者からは、取付け作業が簡単な天井用ＬＥＤ照明器具が求められていた。特に、上記したように照明器具が大型化した最近は、その要望がますます大きくなっていた。それにもかかわらず、業界においては、一般消費者の要望が全く無視され、取付け性が改善されたものは、提供されていないのが実情である。
この発明の目的は、取付け性を飛躍的に改善した天井用ＬＥＤ照明器具を提供することである。
【課題を解決するための手段】
【００１３】
第１の発明は、一対の引掛け金具を設けた引掛けシーリングを、天井に設けた既設の雌型シーリングに引掛けて固定する天井用ＬＥＤ照明器具に関する。そして、上記引掛けシーリングはシーリングホルダーの裏面に固定されるとともに、このシーリングホルダーとＬＥＤを光源とするグローブとを分離している。
【００１４】
そして、上記シーリングホルダーの筒方向中腹部分から、このシーリングホルダーを中心に放射状に設けた複数のアームの先端に上記グローブを設けて、これらシーリングホルダーとグローブとを一体化し、さらに、上記シーリングホルダーに、上記光源の電源ユニットを組み込むとともに、上記アームに設けた電線を介して、上記電源ユニットと上記光源とをあらかじめ電気的に接続している。
【発明の効果】
【００１５】
この発明によれば、引掛けシーリングを保持するシーリングホルダーと、ＬＥＤを光源とするグローブとを分離するとともに、シーリングホルダーを中心に放射状に設けた複数のアームの先端にグローブに設けたので、グローブの分散化で照射エリアの拡大化に対応できようになった。
【００１６】
また、照射エリアの拡大化に対応しながら、上記のようにシーリングホルダーとグローブとを分離したので、グローブの大きさに関係なく、シーリングホルダーの大きさを最小限に保つことができる。その結果、シーリングホルダーに設けた引掛け金具を雌型シーリングにはめ入れるとき、シーリングホルダーと雌型シーリングとの位置が確認しやすくなり、その取付け作業が簡単にできるようになった。
【００１７】
一方、従来は、照射エリアの拡大化という要望に、器具本体の大型化で対応していたので、当該照明器具の取付け作業時に大型化した器具本体によって、雌型シーリング及び引掛け金具の位置関係が確認し難くなり、取付け作業の困難性を招いてしまった。つまり、従来は、取付け時の作業性を犠牲にした上で、照射エリアの拡大化を追及したために、取付けやすさを求める一般消費者の要望を無視する形になってしまった。
【００１８】
その大きな要因は、当業者間において、照射エリアの拡大化と取付けやすさとが、相反する課題と受け止められていたためである。
この発明は、シーリングホルダーとグローブとを分離するという技術思想のもとで、当業者間において矛盾する課題と考えられていた照射エリアの拡大化と当該照明器具の取付けやすさという難題を同時に達成することができたものである。
【００１９】
また、シーリングホルダーとグローブとは、シーリングホルダーを中心に放射状に設けたアームを介して取付けているので、それらが一体化され、図５〜７に示した従来のように部品点数が多くなることはない。
したがって、当該天井用ＬＥＤ照明器具を天井に取付けるときに、脚立や椅子を何回も載り降りすることなくワンタッチで取付けられる。また、その作業性も飛躍的に向上する。
しかも、グローブはシーリングホルダーから放射状に設けたアームに取付けられているので、シーリングホルダーを片手で持ったとき、重量バランスがよくなる。
【００２０】
シーリングホルダーを片手で持ったときの重量バランスは、当該照明器具を天井に取付けるときの作業性に大きな影響を及ぼす。なぜなら、当該照明器具を天井に取付けるときは、上記したようにそれを片手に持って、脚立や椅子などに載って作業をするので、上記重量バランスが悪いと、脚立や椅子に載った人がバランスを崩しやすくなるからである。特に、高齢者の場合には、その傾向が強くなり、作業性が悪くなるだけでなく、危険もともなっていた。
【００２１】
この発明は、上記したようにシーリングホルダーを片手に持ったときの重量バランスがよいので、それを持って脚立や椅子に載った人が、取付け作業中にバランスを崩したりしなくなる。
しかも、上記したようにシーリングホルダーを最小限の大きさに保てるので、それを片手でも持ちやすくなる。
このように片手で持ちやすく、しかも、重量バランスがよいので、上記のように脚立や椅子の上でも、作業性が向上するとともに、危険性も少なくなる。
【００２２】
また、シーリングホルダーとグローブとを連結するアームの間に指を入れるようにしてシーリングホルダーを握れば、このシーリングホルダーの引掛け金具を雌型シーリングの挿入孔に入れて、当該シーリングホルダーを回すことができる。このときには上記アームが指に引っ掛かるので、シーリングホルダーに大きな回転力を作用させることができる。特に、当該天井用ＬＥＤ照明器具を天井に取付けるときには、脚立や椅子に載った不安定な状態にあるので、上記のようにシーリングホルダーが回しやすいというだけでも取付け作業が楽になる。
【００２３】
さらに、グローブはアームを介してシーリングホルダーに取付けられているので、取付け作業時には、これらアーム間からシーリングホルダーの引掛け金具と雌型シーリングとの位置関係を確認できる。しかも、上記のようにシーリングホルダーを極力小さくできるので、上記確認作業が簡単になり、取付け時の作業性を向上させることになる。
しかも、上記シーリングホルダーと各グローブとは、シーリングホルダーを中心に放射状に設けたアームを介して取付け、それらを一体化したので、部品点数が多くなることはない。したがって、当該天井用ＬＥＤ照明器具を天井に取付けるときに、脚立や椅子を何回も載り降りしなくてもよくなり、取付け時の作業性がさらに向上する。
【００２４】
また、この発明によれば、シーリングホルダーに光源の電源ユニットを組み込み、電源ユニットを光源であるＬＥＤからアームの長さの範囲内で離すようにしたので、ＬＥＤの高熱から電源ユニットを保護することができる。特に、光源としてのＬＥＤは、その発光時に非常に高い熱を出すが、もし、電源ユニットがＬＥＤの近傍にあれば、当該電源ユニットを構成する整流回路、コンデンサーあるいは抵抗等に悪影響を及ぼす。
しかし、上記のようにシーリングホルダーに電源ユニットを組み込み、電源ユニットをＬＥＤから離したので、ＬＥＤの高熱が電源ユニットに悪影響を及ぼすことがない。
【００２５】
また、電源ユニットは、アームに設けた電線を介して光源と電気的に接続されているので、従来のようにアタッチメントと電源ユニットとを接続具を介して接続する必要がない。
したがって、電気器具になれていない人にも、電気に対する恐怖感を抱かせることもなくなる。
【図面の簡単な説明】
【００２６】
【図１】天井に設けた雌型シーリングに、当該天井用ＬＥＤ照明器具を接近させた状態の斜視図である。
【図２】当該天井用ＬＥＤ照明器具を引掛けシーリング側から見た平面図である。
【図３】当該天井用ＬＥＤ照明器具の側面図である。
【図４】天井に設けた既設の雌型シーリングの斜視図である。
【図５】従来の天井用ＬＥＤ照明器具におけるアタッチメントの斜視図である。
【図６】従来の天井用ＬＥＤ照明器具のアタッチメントに拡散カバーを外したグローブを取付けた状態の斜視図である。
【図７】従来の天井用ＬＥＤ照明器具のグローブにおける拡散カバーの取付け状態を示す斜視図である。
【発明を実施するための形態】
【００２７】
図示の実施形態は、引掛けシーリング４に一対の引掛け金具５を設けているが、この引掛けシーリング４は、円筒状のシーリングホルダー６の裏面に固定されている。このシーリングホルダー６は、必要最小限の大きさにして、人が片手で持ちやすいようにしている。
【００２８】
このようにしたシーリングホルダー６には、その筒方向中腹部分から３本のアーム７を突出させている。つまり、この３本のアーム７は、シーリングホルダー６を中心に放射状に設けるとともに、３本のアーム７の間隔を周方向において等しくしている。
そして、上記各アーム７の先端には、図示していない光源であるＬＥＤを組み込んだグローブ８を設けている。
【００２９】
上記のようにしたシーリングホルダー６には、整流回路、コンデンサー及び抵抗等からなる図示していない電源ユニットを組み込むとともに、これら電源ユニットとグローブ８とを、アーム７に沿わせた電線を介して電気的に接続している。
したがって、上記電源ユニットとグローブ８とは、アーム７を介して所定の間隔を保って分離されることになる。
【００３０】
上記のようにした天井用ＬＥＤ照明器具は、引掛けシーリング４に設けた一対の引掛け金具５を、天井に設けた既設の雌型シーリング２の挿入孔２ａに挿入するとともに、その挿入孔２ａに沿ってカチッと音がするまで回すことによって、当該照明器具が天井に取付けられる。
なお、雌型シーリング２と引掛けシーリング４との構成は、従来と同じである。
【００３１】
上記のようにした実施形態によれば、引掛けシーリング４を保持するシーリングホルダー６と、ＬＥＤを光源とする各グローブ８とを分離するとともに、シーリングホルダー６を中心に放射状に設けた複数のアーム７の先端にグローブ８を設けたので、各グローブ８の分散化で照射エリアの拡大化に対応できる。
このように照射エリアの拡大化に対応しながら、上記のようにシーリングホルダー６と各グローブ８とを分離したので、グローブ８の大きさに関係なくシーリングホルダー６を最小限の大きさにできる。
【００３２】
シーリングホルダー６が小さければ、上記引掛け金具５を雌型シーリング２にはめ入れるとき、雌型シーリング２や引掛けシーリング４が隠される範囲が小さくなるので、その分、雌型シーリング２や引掛けシーリング４の位置を確認しやすくなり、その取付け作業が簡単になる。
【００３３】
また、シーリングホルダー６が小さければ、それを片手で握りやすくなるので，取付け時の作業性がよくなる。しかも、このシーリングホルダー６を中心にして放射状に突出したアーム７の先端にグローブ８を設けたので、シーリングホルダー６を持ったときの重量バランスもよくなる。したがって、上記シーリングホルダー６を小さくできることと相まって、取付け時の作業性がいっそうよくなる。
【００３４】
特に、シーリングホルダー６を片手で持ったときの重量バランスは、当該天井用ＬＥＤ照明器具を天井に取付けるときの作業性に大きな影響を及ぼす。なぜなら、当該天井用ＬＥＤ照明器具を天井に取付けるときは、それを片手に持って、脚立や椅子などに載って作業をするので、上記重量バランスが悪いと、脚立や椅子など載っている人が、バランスを崩しやすくなるからである。特に、高齢者の場合には、その傾向がいっそう顕著になる。
【００３５】
しかし、この実施形態によれば、シーリングホルダー６を片手に持ったときの重量バランスがよいので、それを持って脚立や椅子に載った人が、取付け作業中にバランスを崩したりしなくなる。
しかも、シーリングホルダー６を極力小さくすれば、それを片手で持ちやすくなり、人もバランスを取りやすくなる。
【００３６】
さらに、シーリングホルダー６と各グローブ８とは、シーリングホルダー６を中心に放射状に設けたアーム７を介して取付け、それらを一体化したので、部品点数が多くなることはない。
したがって、当該天井用ＬＥＤ照明器具を天井に取付けるときに、脚立や椅子を何回も載り降りしなくてもよくなり、取付け時の作業性が向上する。
【００３７】
また、シーリングホルダー６とグローブ８とを連結するアーム７の間に指を入れるようにしてシーリングホルダー６を握れば、このシーリングホルダー６の引掛け金具５を雌型シーリング２の挿入孔２ａに入れて、当該シーリングホルダー６を回すときに、上記アーム７が指に引っ掛かるので、シーリングホルダー６に大きな回転力を作用させることができる。特に、当該天井用ＬＥＤ照明器具を天井に取付けるときには、脚立や椅子に載って不安定な状態にあるので、シーリングホルダー６が少しでも回しやすければ、それだけ取付け作業も楽になる。
【００３８】
さらに、シーリングホルダー６に光源の電源ユニットを組み込み、電源ユニットを光源であるＬＥＤからアーム７の長さの範囲で切り離したので、ＬＥＤの高熱から電源ユニットを保護することができる。特に、光源としてのＬＥＤは、その発光時に非常に高い熱を出すが、このＬＥＤの高熱が電源ユニットを構成する整流回路、コンデンサー及び抵抗等に悪影響を及ぼすことがない。
また、上記アーム７に設けた電線を介して、電源ユニットと光源とをあらかじめ電気的に接続しているので、電気器具になれていない人にとって、電気に対する恐怖感を和らげることができる。
【００３９】
なお、上記実施形態では、シーリングホルダー６に電源ユニットを組み込んでいるが、発熱量の小さいＬＥＤを用いれば、上記電源ユニットを各グローブ８内に組み込んでもよい。
また、上記実施形態では、アーム７の先端に３つのグローブ８を個別に設けたが、円環状にした１つのグローブをアーム７の先端に取付けるようにしてもよい。
【産業上の利用可能性】
【００４０】
天井に取付けるＬＥＤを用いた照明器具に最適である。
【符号の説明】
【００４１】
２      雌型シーリング
４      引掛けシーリング
５      引掛け金具
６      シーリングホルダー
７      アーム
８      グローブ
【要約】
【課題】  当該天井用ＬＥＤ照明器具を天井に取付けやすくする。
【解決手段】一対の引掛け金具５を設けた引掛けシーリング４を、天井に設けた既設の雌型シーリング２に引掛けて固定する。そして、上記引掛けシーリング４を保持するシーリングホルダー６と、ＬＥＤを光源とするグローブ８とを分離するとともに、上記シーリングホルダー６を中心に放射状に設けた複数のアーム７の先端に上記グローブ８を設けている。このようにシーリングホルダー６とグローブ８とを分離したので、シーリングホルダー６を最小限の大きさに保つことができる。
【選択図】  図１【図１】
0005583836.tif 000002
【図２】
0005583836.tif 000003
【図３】
0005583836.tif 000004
【図４】
0005583836.tif 000005
【図５】
0005583836.tif 000006
【図６】
0005583836.tif 000007
【図７】
0005583836.tif 000008